(57)【要約】【課題】薬袋の搬送効率がよく、患者毎の振分けが容易な薬剤印字装置搬送効率のよい薬剤印字装置を提供する。【解決手段】複数の薬袋１４を収容し、該薬袋１４を１袋づつ供給する着脱可能な薬袋カセット２２ａ，２２ｂと、該薬袋カセット２２ａ，２２ｂから供給される薬袋１４に薬剤情報と薬剤イメージを印字する印字部２３と、該印字部２３により印字されて排出される薬袋１４を先端部が突き出るように載置するトレイ２４とからなる印字ユニット８を備えた。また、印字ユニット８のトレイ２４に載置された薬袋１４の先端部を掴み取る掴取部４０と、該掴取部４０により先端部を掴み取られた薬袋１４を搬出する搬出部３９とを備えた。【選択図】　図１
2004137065.tif 000002
【特許請求の範囲】
【請求項１】
複数の薬袋を収容し、該薬袋を１袋づつ供給する着脱可能な薬袋カセットと、該薬袋カセットから供給される薬袋に薬剤情報と薬剤イメージを印字する印字部と、該印字部により印字されて排出される薬袋を先端部が突き出るように載置するトレイとからなる印字ユニットと、
該印字ユニットのトレイに載置された薬袋の先端部を掴み取る掴取部と、
該掴取部により先端部を掴み取られた薬袋を搬出する搬出部とを装置本体に備えたことを特徴とする薬袋印字装置。
【請求項２】
前記掴取部は、前記印字部で同一患者の薬袋の印字が終了したことを示す印字終了信号に基づいて動作するようにしたことを特徴とする請求項１に記載の薬袋印字装置。
【請求項３】
前記印字ユニットは、薬袋の排出方向に直角な方向に前記装置本体から水平に引き出し可能にしたことを特徴とする請求項１に記載の薬袋印字装置。
【請求項４】
前記印字ユニットは、前記装置本体から外部に引き出した状態で、薬袋カセットが着脱可能な方向に向くように回動可能にしたことを特徴とする請求項３に記載の薬袋印字装置。
【請求項５】
薬袋原紙を巻回した薬袋ロールから異なるサイズの薬袋を製造して供給する複数の薬袋供給ユニットと、
各薬袋供給ユニットから供給される薬袋を搬送する複数の搬送部と、
各搬送部により搬送される薬袋に薬剤情報を印字する複数のプリンタと、
各プリンタにより印字された薬袋を搬出する複数の搬出部とをさらに備えたことを特徴とする請求項１から４のいずれかに記載の薬袋印字装置。
【請求項６】
前記複数の薬袋供給ユニットは、前記装置本体から水平に引き出し可能にし、該複数の薬袋供給ユニットのいずれかが装置本体から引き出されているときは、前記印字ユニットを前記装置本体から引き出し不能にロックするロック装置を設けたことを特徴とする請求項３に記載の薬袋印字装置。
【発明の詳細な説明】
【０００１】
【発明の属する技術分野】
本発明は薬袋印字装置に関する。
【０００２】
【従来の技術】
処方箋に従って調剤された錠剤、散薬等の薬剤は、薬袋に収容されて患者に引き渡される。薬袋には、薬袋印字装置によって、患者の氏名、薬剤の名称、服用時期や服用量等の服薬指導等が印字される。従来の薬袋印字装置は、薬袋原紙を巻回した薬袋ロールから異なるサイズの薬袋を製造し、該薬袋をプリンタに搬送して、該プリンタで薬袋に必要な情報を印字した後、印字された薬袋を搬出するようになっている（例えば、特許文献１〜３参照。）。搬出される薬袋は、振分け装置によって、患者毎に振分けられる。
【０００３】
【特許文献１】
特開２０００−２１８８７３号公報
【特許文献２】
特開平６−１６３４３号公報
【特許文献３】
特開平９−１６８５７８号公報
【０００４】
しかしながら、従来の薬袋印字装置は、印字した薬袋を１袋づつ搬出するため、搬送効率が悪いという問題があった。また、印字した薬剤を患者毎に振り分ける場合、患者毎に前後して薬袋が搬送されてくると、振分け動作が繁雑になり、制御も複雑になるという問題があった。
【０００５】
【発明が解決しようとする課題】
本発明は、かかる従来の問題点に鑑みてなされたもので、薬袋の搬送効率がよく、患者毎の振分けが容易な薬剤印字装置を提供することを課題とするものである。
【０００６】
【課題を解決するための手段】
前記課題を解決するための手段として、本発明は、
複数の薬袋を収容し、該薬袋を１袋づつ供給する着脱可能な薬袋カセットと、該薬袋カセットから供給される薬袋に薬剤情報と薬剤イメージを印字する印字部と、該印字部により印字されて排出される薬袋を先端部が突き出るように載置するトレイとからなる印字ユニットと、
該印字ユニットのトレイに載置された薬袋の先端部を掴み取る掴取部と、
該掴取部により先端部を掴み取られた薬袋を搬出する搬出部とを装置本体に備えたものである。
前記掴取部は、前記印字部で同一患者の薬袋の印字が終了したことを示す印字終了信号に基づいて動作することが好ましい。
【０００７】
前記手段によると、印字ユニットの印字部で同一患者用の薬袋を順次印字し、トレイに排出して積載する。同一患者用の複数の薬袋が積載されると、トレイから突き出た薬袋の先端部を掴取部で掴み取り、搬出部により複数の薬袋を一度に搬出する。
【０００８】
前記印字ユニットは、薬袋の排出方向に直角な方向に前記装置本体から水平に引き出し可能にすることが好ましい。この場合、前記印字ユニットは、前記装置本体から外部に引き出した状態で、薬袋カセットが着脱可能な方向に向くように回動可能にすることが好ましい。
【０００９】
前記薬剤印字装置は、薬袋原紙を巻回した薬袋ロールから異なるサイズの薬袋を製造して供給する複数の薬袋供給ユニットと、各薬袋供給ユニットから供給される薬袋を搬送する複数の搬送部と、各搬送部により搬送される薬袋に薬剤情報を印字する複数のプリンタと、各プリンタにより印字された薬袋を搬出する複数の搬出部とをさらに備えることが好ましい。
【００１０】
前記複数の薬袋供給ユニットは、前記装置本体から水平に引き出し可能にし、該複数の薬袋供給ユニットのいずれかが装置本体から引き出されているときは、前記印字ユニットを前記装置本体から引き出し不能にロックするロック装置を設けることが好ましい。
【００１１】
【発明の実施の形態】
以下、本発明の実施形態を添付図面に従って説明する。
【００１２】
図１は、本発明にかかる薬袋印字装置を示す。この薬袋印字装置には、装置本体１に、第１薬袋供給部２、第２薬袋供給部３、第３薬袋供給部４、第１インクジェットプリンタ５、第２インクジェットプリンタ６、第３インクジェットプリンタ７、レーザプリンタ８が収容されている。装置本体１の側面には、薬袋排出部９が設けられている。
【００１３】
第１薬袋供給部２、第２薬袋供給部３、第３薬袋供給部４は、それぞれ異なるサイズ，種類の薬袋を製造して供給するものであるが、構造的には同一であるので、第３薬袋供給部４を例にして説明する。これらの薬袋供給部４には、予め長手方向に２つ折りした薬袋シート１０を巻回したサイズの異なる複数の薬袋ロール１１が着脱自在に装着されている。これらの薬袋ロール１１から薬袋供給路１２が形成され、該薬袋供給路１２にシール切断装置１３が配設されている。シール切断装置１３は、薬袋ロール１１から繰り出される薬袋シート１０を所定間隔でシールすると同時に切断して薬袋を１４形成するものである。各薬袋供給部２，３，４は、薬袋ロール１１の交換のために、装置本体１から前方に引き出し可能になっている。
【００１４】
第１薬袋供給部２からは、第１振分部１５を介して前記第１インクジェットプリンタ５と第２インクジェットプリンタ６に至る第１薬袋搬送路１６、第２薬袋搬送路１７が形成され、これにより、第１薬袋供給部２から供給される薬袋１４５は第１インクジェットプリンタ５と第２インクジェットプリンタ６のいずれかに供給可能になっている。第２薬袋供給部３からは、第２振分部１８を介して前記第２インクジェットプリンタ６と第３インクジェットプリンタ７に至る第３薬袋搬送路１９、第４薬袋搬送路２０が形成され、これにより、第２薬袋供給部３から供給される薬袋１４は第２インクジェットプリンタ６と第３インクジェットプリンタ７のいずれかに供給可能になっている。第３薬袋供給部４からは、前記第２振分部１８に至る第５薬袋搬送路２１が形成され、これにより、第３薬袋供給部４から供給される薬袋１４は第２インクジェットプリンタ６と第３インクジェットプリンタ７のいずれかに供給可能になっている。
【００１５】
第１インクジェットプリンタ５、第２インクジェットプリンタ６、第３インクジェットプリンタ７は、図示しない制御部から処方箋情報を受け、該処方箋情報に従って前記第１薬袋供給部２、第２薬袋供給部３、第３薬袋供給部４から供給される薬袋１４に患者氏名、薬剤名、服用時期、効用、副作用等の薬剤情報を印字するものである。
【００１６】
レーザプリンタ８は、本発明の印字ユニットを構成するもので、複数（本実施形態では２つ）の薬袋カセット２２ａ，２２ｂと、印字部２３と、排出トレイ２４とからなっている。薬袋カセット２２ａ，２２ｂは、ユニット本体２５に着脱可能であり、それぞれ異なるサイズの薬袋１４を収容して１袋づつ供給するようになっている。印字部２３は、図示しない制御部から処方箋情報を受け、該処方箋情報に従って、薬袋カセット２２ａ，２２ｂから供給される薬袋１４に処方箋情報に従って前記インクジェットプリンタ５，６，７と同様、患者氏名、薬剤名、服用時期、効用、副作用等の薬剤情報を印字するとともに、これらに加え薬剤イメージも印字可能になっている。排出トレイ２４は、前記印字部２３で印字された薬袋１４を一時的に積載しておくものである。この排出トレイ２４には、薬袋１４の先端部が斜め上方に突き出るように支持するための薬袋支持台２６が設けられている。なお、薬袋カセット２２ａ，２２ｂのいずれか、または図示しない用紙カセットにコピー用紙を収容しておき、この用紙を供給して、患者氏名、薬剤名、薬剤イメージ、服用時期、効用、副作用等の薬剤情報を印字可能になっている。この印字した用紙は、前記インクジェットプリンタで印字された薬袋に挿入される。
【００１７】
前記レーザプリンタ８は、図に示すように、テーブル２７に設けられた回転台２８に載置され、該テーブル２７は薬袋１４の排出方向に直角な方向に装置本体１から水平に引き出し可能になっている。またテーブル２７には、装置本体１からのテーブル２７の引き出しを阻止するロック装置２９と、ロックを解除するスイッチ３０と、テーブル２７が引き出されたか否かを検出するセンサ３１が設けられている。このロック装置２９は、テーブル２７に設けたロック孔３２に係脱可能なロックピン３３と、該ロックピン３３を駆動するソレノイド３４からなるが、この構成に限定されるものではない。なお、前記各薬袋供給部２，３，４にも、装置本体１からの引き出しを阻止するロック装置２９ａ，２９ｂ，２９ｃ、そのロック解除スイッチ３０ａ，３０ｂ，３０ｃ、およびセンサ３１ａ，３１ｂ，３１ｃが設けられ、これらは図に示すように制御装置３５によって制御されるようになっている。
【００１８】
第１インクジェットプリンタ５、第２インクジェットプリンタ６、第３インクジェットプリンタ７、およびレーザプリンタ８からは、薬袋排出部９に向かってそれぞれ、第１薬袋排出路３６、第２薬袋排出路３７、第３薬袋排出路３８、第４薬袋排出路３９が形成されている。第４薬袋排出路３９の上流側端は、本発明の掴取部４０が設けれている。この掴取部４０は、図に示すように、コンベヤ部４１と、押さえローラ部４２とからなっている。コンベヤ部４１は、前記レーザプリンタ８の薬袋支持台２６の近傍に配置され、当該薬袋支持台２６に支持される薬袋１４の先端部の下方に配置されている。押さえローラ部４２は、コンベヤ部４１の上方に軸４３を中心に回動可能に設けられ、先端にローラ４４を有している。これにより、押さえローラ部４２は、ローラ４４がコンベヤ部４１から離間した退避位置と、ローラ４４がコンベヤ部４１に近接して、コンベヤ部４１に載置された薬袋１４の先端部を掴み取る掴取位置とに回動可能になっている。
【００１９】
排出部９は、薬袋共通搬送路４５と薬袋取出トレイ４６とからなっている。薬袋共通搬送路４５は、前記第１薬袋排出路３６、第２薬袋排出路３７、第３薬袋排出路３８、第４薬袋排出路３９から水平に排出される薬袋１４を方向変換して上から下に搬送するようになっている。薬袋取出トレイ４６は、前記薬袋共通搬送路３６，３７，３８，３９の下方に設けられ、該薬袋共通搬送路３６，３７，３８，３９から搬送される薬袋１４を振分けプレート４７により患者毎に振り分けて保持する。
【００２０】
次に、以上の構成からなる薬袋印字装置の動作について説明する。
【００２１】
処方箋情報がオペレータにより入力され、あるいは図示しないホストコンピュータから入力されると、処方する薬剤の種類および量に基づいて薬袋のサイズが選択され、そのサイズの薬袋を供給する薬袋供給部２，３，４またはレーザプリンタ８の薬袋カセット２２ａ，２２ｂが指定される。
【００２２】
指定された薬剤供給部例えば第３薬袋供給部４では、薬袋ロール１１から薬袋シート１０が薬袋供給路１２を通って繰り出され、シール切断装置１３により、所定間隔でシールされるとともに切断されて、薬袋１４が製造される。製造された薬袋１４は、第２振分部１８を介していずれかの搬送路によりいずれか待機中の例えば第３インクジェットプリンタ７に搬送される。第３インクジェットプリンタ７では、図に示すように、処方箋情報に従って、患者氏名、薬剤名、服用時期、効用、副作用等の薬剤情報が印字される。印字された薬袋１４は、第３薬袋排出路３８を通り、薬袋排出部９の薬袋供給搬送路４５を経て、振分けプレート４７により患者毎に振り分けられて、薬袋取出トレイ４６に排出される。
【００２３】
レーザプリンタ８が指定された場合、必要なサイズの薬袋が収容された薬袋カセット２２ａ，２２ｂから薬袋１４が供給され、印字部２３で、図に示すように、処方箋情報に従って、患者氏名、薬剤名、薬剤イメージ、服用時期、効用、副作用等の薬剤情報が印字される。印字された薬袋１４は、排出トレイ２４の薬袋支持台２６に載置される。特定患者の薬袋１４が複数ある場合は、全ての薬袋１４が排出されるまで、排出トレイ２４に積載される。薬袋１４は、先端部が薬袋支持台２６から突出して、掴取部４０のコンベヤ部４２に支持されるようにように積載される。同一患者の全ての薬袋１４の印字が終了すると、レーザプリンタ８から印字終了信号が掴取部４０に送られる。この結果、この印字終了信号に基づいて掴取部４０の押さえローラ部４２が掴取位置に回動し、同一患者の全ての薬袋を掴み取る。これにより、薬袋支持台２６に載置された全ての薬袋１４は、第４薬袋排出路３９を通り、薬袋排出部９の薬袋供給搬送路４５を経て、振分けプレート４７により患者毎に振り分けられて、薬袋取出トレイ４６に排出される。このとき、同一患者の全ての薬袋１４は、まとめて一度に排出されるので、振分けプレート４７を作動させる必要がない。
【００２４】
レーザプリンタ８の薬袋カセット２２ａ，２２ｂの薬袋１４が無くなると、ロック解除スイッチ３０を押して、図に示すレーザプリンタ８のテーブル２７を装置本体１から引き出し、回転台２８上のレーザプリンタ８を９０°回動させて薬袋カセット２２ａ，２２ｂの着脱方向を手前に向けることで、薬袋カセット２２ａ，２２ｂをはずして薬袋１４を補充することができる。
【００２５】
レーザプリンタ８以外に、各薬袋供給部２，３，４も装置本体１から引出可能であるので、装置本体１の転倒を防止するために、いずれかの薬袋供給部２，３，４が引き出されていると、レーザプリンタ８は引き出すことができないようになっている。すなわち、図に示す制御装置３５は、レーザプリンタ８のロック解除スイッチ３０が押されたとき、各薬袋供給部２，３，４が引き出されているか否かをセンサ３１により検出し、いずれの薬袋供給部２，３，４も引き出されていなければ、レーザプリンタ８のロック装置２９を解除する。これにより、レーザプリンタ８を引き出すことができる。また、いずれかの薬袋供給部２，３，４が引き出されていれば、レーザプリンタ８のロック装置２９は解除しない。これにより、レーザプリンタ８を引き出すことができなので、装置本体１の転倒が防止される。
【００２６】
【発明の効果】
以上の説明から明らかなように、本発明によれば、複数の薬袋を収容し、該薬袋を１袋づつ供給する着脱可能な薬袋カセットと、該薬袋カセットから供給される薬袋に薬剤情報と薬剤イメージを印字する印字部と、該印字部により印字されて排出される薬袋を先端部が突き出るように載置するトレイとからなる印字ユニットと、該印字ユニットのトレイに載置された薬袋の先端部を掴み取る掴取部と、該掴取部により先端部を掴み取られた薬袋を搬出する搬出部とを装置本体に備えたので、同一患者用の複数の薬袋を順次印字してトレイに排出して積載し、トレイから突き出た薬袋の先端部を掴取部で掴み取って一度に搬出することができ、搬送効率がよいうえ、患者毎の振分けが容易である。
【００２７】
印字ユニットは、薬袋の排出方向に直角な方向に装置本体から水平に引き出し可能にしたので、印字ユニットを引き出して薬袋カセットを取り外すことで、薬袋の補充を容易に行うことができる。
【００２８】
前記印字ユニットは、装置本体から外部に引き出した状態で、薬袋カセットが着脱可能な方向に向くように回動可能にしたので、薬袋カセットの着脱および薬袋の補充がさらに容易になる。
【００２９】
薬剤印字装置は、薬袋原紙を巻回した薬袋ロールから異なるサイズの薬袋を製造して供給する複数の薬袋供給ユニットと、各薬袋供給ユニットから供給される薬袋を搬送する複数の搬送部と、各搬送部により搬送される薬袋に薬剤情報を印字する複数のプリンタと、各プリンタにより印字された薬袋を搬出する複数の搬出部とをさらに備えたので、これらの複数のプリンタと印字ユニットを使用して効率良く印字を行うことができる。
【００３０】
複数の薬袋供給ユニットは、装置本体から水平に引き出し可能にし、該複数の薬袋供給ユニットのいずれかが装置本体から引き出されているときは、印字ユニットを装置本体から引き出し不能にロックするロック装置を設けたので、各ユニットが一度に引き出されて装置本体が転倒するのを防止することができる。
【図面の簡単な説明】
【図１】本発明にかかる薬袋印字装置の正面断面図。
【図２】（ａ）は退避位置、（ｂ）は掴取位置をそれぞれ示す掴取部の拡大正面図。
【図３】レーザプリンタを引き出した状態の薬袋印字装置の側面図。
【図４】レーザプリンタを引き出した状態の薬袋印字装置の平面図。
【図５】レーザプリンタを回動中の状態の薬袋印字装置の平面図。
【図６】ロック装置の制御ブロック図。
【図７】薬袋印字例を示す図。
【符号の説明】
１　装置本体
２　第１薬袋供給部
３　第２薬袋供給部
４　第３薬袋供給部
５　第１インクジェットプリンタ
６　第２インクジェットプリンタ
７　第３インクジェットプリンタ
８　レーザプリンタ（印字ユニット）
１４　薬袋
２２ａ，２２ｂ　薬袋カセット
２３　印字部
２４　排出トレイ
２７　テーブル
２８　回転台
２９　ロック装置
３９　第４薬袋排出路
４０　掴取
【図１】
2004137065.tif 000003
【図２】
2004137065.tif 000004
【図３】
2004137065.tif 000005
【図４】
2004137065.tif 000006
【図５】
2004137065.tif 000007
【図６】
2004137065.tif 000008
【図７】
2004137065.tif 000009
【手続補正書】
【提出日】平成14年10月30日(2002.10.30)
【手続補正１】
【補正対象書類名】図面
【補正対象項目名】図１
【補正方法】変更
【補正の内容】
【図１】
2004137065.tif 000010
【手続補正２】
【補正対象書類名】図面
【補正対象項目名】図２
【補正方法】変更
【補正の内容】
【図２】
2004137065.tif 000011
【手続補正３】
【補正対象書類名】図面
【補正対象項目名】図３
【補正方法】変更
【補正の内容】
【図３】
2004137065.tif 000012
【手続補正４】
【補正対象書類名】図面
【補正対象項目名】図４
【補正方法】変更
【補正の内容】
【図４】
2004137065.tif 000013
【手続補正５】
【補正対象書類名】図面
【補正対象項目名】図５
【補正方法】変更
【補正の内容】
【図５】
2004137065.tif 000014
【手続補正６】
【補正対象書類名】図面
【補正対象項目名】図６
【補正方法】変更
【補正の内容】
【図６】
2004137065.tif 000015